(57)【要約】【課題】本発明は、意匠性を高めて、ユーザの美観にインパクトを与えて訴求する化粧品でありながら、化粧をする際の使い勝手が良く、またユーザに飽きが来ない程度の化粧料の量を想定して担持できる、化粧品を提供することを目的とする。【解決手段】化粧料ＣＭと前記化粧料ＣＭを担持している担持体１０とを含んでいる化粧品１Ａであって、前記担持体は立体的な形状に形成されていると共に、表面上には前記化粧料ＣＭを担持可能な化粧料担持領域１３ＡＲが設定されている。【選択図】図１
2019097762.tif 000002
【特許請求の範囲】
【請求項１】
化粧料と前記化粧料を担持している担持体とを含んでいる化粧品であって、
前記担持体は立体的な形状に形成されていると共に、表面上には前記化粧料を担持可能な化粧料担持領域が設定されている、ことを特徴とする化粧品。
【請求項２】
前記担持体は包みボタンであり、当該包みボタンはボタン本体と前記ボタン本体をカバーしているシート状多孔質部材とを含んでおり、前記シート状多孔質部材の少なくとも一部が前記化粧料担持領域になっている、ことを特徴とする請求項１に記載の化粧品
【請求項３】
前記担持体は多孔質材料を型により成形した多孔質成型体であり、前記多孔質成型体の外表面の少なくとも一部が前記化粧料担持領域になっている、ことを特徴とする請求項１に記載の化粧品。
【請求項４】
前記担持体は、当該担持体単独で、或いは、当該担持体を複数組み合わせて、既知の物を再現した形状に設計してある、ことを特徴とする請求項１〜３のいずれかに記載の化粧品。
【請求項５】
化粧品について所定のテーマが設定されており、前記テーマの一部を構成している物が、請求項４に記載の化粧品により再現されている、ことを特徴とする化粧品。
【発明の詳細な説明】
【技術分野】
【０００１】
本発明は、立体的な形態に設計して、意匠性を高めた化粧品に関する。
【背景技術】
【０００２】
近年、化粧品メーカから提供される化粧品は、化粧料自体の改良や開発だけに留まらず、ユーザ（消費者）により良いインパクトを与えて購買意欲を喚起できる、所謂、見た目の良い意匠性に富んだ製品とすることにも配慮がされている。
【０００３】
例えば、特許文献１は化粧料を密実（中実、とも称される）で球形状に形成する技術を開示する。このような球状の化粧料を採用した場合の化粧品は、従来とは異なり、容器やカップ内に、色とりどりの球状化粧料が収納されている意匠性の高い化粧品として提案できることになる。
【先行技術文献】
【特許文献】
【０００４】
【特許文献１】特開２００１−３０２４４１号公報
【発明の概要】
【発明が解決しようとする課題】
【０００５】
上記特許文献１による化粧品を使用するとき、ユーザはブラシ、パフ、スポンジなどの化粧小道具を用いて球状の表面を擦ることにより、化粧料を化粧小道具側に少しずつ擦り取って（剥ぎ取って）化粧をすることになる。
【０００６】
しかし、上記のように密実球状に成形された化粧料は、割れ、欠けなどが発生し易い。そのために、コンパクト内の皿などに収容されていた従来の一般的化粧料と比較して硬めに（すなわち、少々の衝撃では破損しないように）形成されている。
その結果、ユーザがこの種の化粧料を使用するとき、必要な量の化粧料を得るのにある種の困難性を感じる（硬さを感じる）こととなる。そして、所望量の化粧料を得るのに従来よりも長時間を要するので、見た目は良いが、使い勝手の悪い化粧品となっていた。
【０００７】
また、上記した従来の球状化粧料は、ある程度大きな直径（例えば１０ｍｍ〜１２ｍｍ）で密実に形成されているもので、１種の化粧料の量（使用可能量）としては多目であった。その為に、ユーザがその化粧料を使い切るまでの期間が長くなり、飽きてしまう場合があった。このような状況になると、その化粧品の回転が悪くなるので、化粧品メーカにとっても好ましいことではない。
そして、上記のように、硬めに形成された球状の化粧料は、容器内で化粧料同士が衝突すると割れ易いという問題もあった。
【０００８】
そこで、本発明は、意匠性を高めた化粧品の実情に鑑みてなされたもので、ユーザの美観にインパクトを与えて訴求する化粧品でありながら、化粧をする際の使い勝手が良く、またユーザに飽きが来ない程度の化粧料の量を想定して担持できる、化粧品を提供することを目的とする。
【課題を解決するための手段】
【０００９】
上記目的は、化粧料と前記化粧料を担持している担持体とを含んでいる化粧品であって、前記担持体は立体的な形状に形成されていると共に、表面上には前記化粧料を担持可能な化粧料担持領域が設定されている、ことを特徴とする化粧品により、達成することができる。
【００１０】
そして、前記担持体は包みボタンであり、当該包みボタンはボタン本体と前記ボタン本体をカバーしているシート状多孔質部材とを含んでおり、前記シート状多孔質部材の少なくとも一部が前記化粧料担持領域になっている、化粧品とすることができる。
【００１１】
また、前記担持体は多孔質材料を型により成形した多孔質成型体であり、前記多孔質成型体の外表面の少なくとも一部が前記化粧料担持領域になっている、化粧品としてもよい。
【００１２】
前記担持体は、当該担持体単独で、或いは、当該担持体を複数組み合わせて、既知の物を再現した形状に設計してある、化粧品とするのが好ましい。
そして、化粧品について所定のテーマが設定されており、前記テーマの一部を構成している物が、上記の化粧品により再現されているようにしてもよい。
【発明の効果】
【００１３】
本発明の化粧品は、立体的形状の担持体に化粧料を担持するという新規な構成を有するので、従来のような単なる球状の化粧料と比較して、ユーザにより強いインパクトを与えて、記憶に残る、訴求性の高い化粧品を提供できる。
また、本発明の化粧品では、化粧料を担持する担持体の形状や大きさの変更が容易であることから、化粧料の担持量を適宜に調整できる。さらに、ユーザが使い易い硬度に化粧料を調整することもできる。よって、飽きが来る前に消費を完了するように設計することもでき、使い勝手の良い、意匠性に富む化粧品を提供できる。
【図面の簡単な説明】
【００１４】
【図１】本発明の第１の実施形態に係る化粧品の概略構造を模式的に示した横断面図である。
【図２】菓子箱をテーマとして化粧品を設計した場合で、第１の実施形態に係る化粧品をクッキーに見立てた場合の例について、示している図である。
【図３】ツリーをテーマとして化粧品を設計した場合で、第１の実施形態に係る化粧品を木の実に見立てた場合の例について、示している図である
【図４】（ａ）は本発明の第２の実施形態に係る化粧品の概略構造を模式的に示した横断面図、（ｂ）は菓子箱をテーマとして化粧品を設計した場合で、第２の実施形態に係る化粧品をマカロンに見立てた場合の例について、示している図である。
【発明を実施するための形態】
【００１５】
以下、本発明の実施の形態を、図を参照して詳細に説明する。
図１は、第１の実施形態に係る化粧品１Ａの概略構造を模式的に示した横断面図である。
この化粧品１Aは、所謂、包み（くるみ）ボタンを利用して作製されている。図１を参照して、先ず、包みボタンについて簡単に説明する
ここで例示している包みボタン１０は、例えば樹脂や金属材料を用いて所定の立体的な形状に形成されているボタン本体１１と、このボタン本体１１の背部側に形成された凹部１１ａに嵌め込まれるキャップ部１２とにより形成されている。そして、ボタン本体１１を包みこむようにカバーしている布地などによるシート状多孔質部材１３が設けてある。
【００１６】
より具体的には、シート状多孔質部材１３の端部はボタン本体１１の前部側（図１においては上側）から背部側へ回し込まれており、キャップ部１２がその端部を凹部１１ａに押し込み、蓋をするようにして凹部１１ａに固定されている。これにより、ボタン本体１１がシート状多孔質部材１３によって包まれた形態となっている。このように作製されている包みボタン１０では、シート状多孔質部材１３がある程度の張力をもって、張設された状態となっている。本化粧品１Ａは、シート状多孔質部材１３の表面に露出している部分（前部側、或いは更に背部側まで回り込んで延在している部分を含む場合もある）を、化粧料ＣＭを担持する化粧料担持領域１３ＡＲとするものである。
【００１７】
なお、以下の説明は、図１に例示した包みボタン１０を採用した場合の化粧品１Ａについて説明するが、包みボタンとしての構造は単なる例示である。キャップ部１２を用いて止める構造とはせずに、シート状多孔質部材１３の端部の複数箇所に糸を掛けて縫い合わすように締めることで、同様にシート状多孔質部材１３でボタン本体１１を包み込むような構造にできる。
【００１８】
また、包みボタンの形態は多種多様であり、大小様々なものが提供されている。よって、所望の形状、大きさの包みボタンを適宜に活用して化粧品用の担持体として利用することができる。その際には、前述したように、包みボタンの表面が化粧料を担持する化粧料担持領域１３ＡＲとなり、その面積により化粧料の担持量が変わる。よって、化粧料の担持量に応じて採用する包みボタンの大きさを適宜に決定すればよい。
【００１９】
図１に示すような包みボタン１０のボタン本体１１は、通常、樹脂或いは金属で形成されているので、化粧料を担持するのに適していない。一方、その外周をカバーしているシート状多孔質部材１３は布地等の多孔質部材である。多孔質材は、粉体化粧料および油性化粧料のいずれとも地合いがよい。よって、購入した包みボタン１０が化粧料を担持させるのに適したシート状多孔質部材１３を既に備えているのであれば、そのまま利用しても勿論よい。
これに対して、包みボタン１０のボタン本体１１の形状、大きさは化粧料の担持体としては好ましいものであるが、予めセットされているシート状多孔質部材１３が化粧料の担持には好ましくないという場合には、シート状多孔質部材１３を好ましい素材に適宜に変更して好ましい包みボタン１０とすればよい。
【００２０】
化粧料を担持させるのに好ましいシート状多孔質部材１３としては、化粧料を安定に担持でき、刷毛やパフなどの化粧道具で擦られたときには、化粧道具側へ化粧料がスムーズに移行するような素材とするのが好ましい。このような素材としては、綿、絹、麻、ウール、カシミヤ、及びモヘア等の天然繊維、ナイロン、ポリエステル、ポリウレタン、ポリプロピレン、及びアクリル等の合成繊維、レーヨン、及び再生ポリエステル等の再生繊維、針葉樹クラフトパルプ、広葉樹クラフトパルプ、溶解パルプ、マーセル化パルプ、亜麻パルプ、マニラ麻パルプ、ケナフパルプ等のパルプ繊維等により形成した布、不織布、紙、或いはこれらの繊維を使用して、平織り、綾織り、及び朱子織り等の織物、平編み、ゴム編み、及びパール編み等の編み物、レース、及びフェルト等に製造されたシート状物などを採用することができる。
【００２１】
なお、上記のように利用される包みボタン１０は、そもそも衣類用のボタンであるので、衣服に取り付ける為のリングなどがボタン側に固定されている場合もある。本発明の化粧品の製造に障害となる場合は、不要部分を予め除去しておくのが望ましいことは言うまでもない。
このように準備した、第１の実施形態に係る化粧品用の包みボタン１０は化粧料を担持し易い多孔質のシート状多孔質部材１３が表面にセットされている。よって、予め準備した化粧料を化粧料担持領域１３ＡＲに担持させる化粧料担持工程を実施すれば、図１にて示すような、化粧料ＣＭを備えた第１の実施形態に係る化粧品１Ａを製造することができる。
【００２２】
上記化粧料ＣＭについては、次のように調製して化粧料担持領域１３ＡＲに担持させるのが望ましい。例えば揮発性の溶媒などと混合して液状またはペースト状として塗布可能に調製した化粧料スラリーに、上記した包みボタン１の化粧料担持領域１３ＡＲ側を浸漬する手法、或いは、化粧料担持領域１３ＡＲに化粧料スラリーを吹き付ける手法（スプレー法）、化粧料担持領域１３ＡＲに化粧料スラリーを刷毛などの道具を用いて塗り付ける手法などを採用することができる。浸漬、吹き付け或いは塗り付け法により、シート状多孔質部材１３上に担持された化粧料が安定に保持された状態となれば化粧料担持工程が終了して、化粧品１Ａの実質的な製造は完了する。
そして、その後、必要に応じて乾燥処理を施してもよい。乾燥工程を更に含む場合、その前の化粧料担持工程で、包みボタン１０の背面部側には化粧料を担持たせないようにして、背面部側に粘着テープ等を貼付けて懸架して乾燥処理するようにすると効率良く化粧料を乾燥させることができる。
【００２３】
なお、上記のように、化粧料をスラリー化するために混合される揮発性の溶剤は、公知のものを使用でき、例えば、エチルアルコール、イソプロピルアルコール等の低級アルコール、低沸点炭化水素、低沸点シリコーン油、環状シリコーン、水、あるいはこれらの混合物を例示できる。混合する比率は化粧料の構成に応じて適宜に調整すればよい。
【００２４】
また、化粧料担持工程での浸漬、吹き付け等に要する時間や回数、使用する化粧料スラリーの濃度を調整することによっても、化粧料担持領域１３ＡＲに担持させる化粧料の量を調整することができる。
また、化粧品１Ａの場合、密実球状に形成した従来の化粧料のように高い硬度を必要としないので、一般的な化粧料と同様の硬度とすることができる。
【００２５】
上記のように得られる化粧品１Ａは、立体的な担持体となる包みボタン１の表面に、任意の化粧料を担持させて作製できる、例えば、ファンデーション、フェイスパウダー、頬紅、アイカラー等の粉体を主体とした相対的に柔らかい粉体化粧料、そしてコンシーラー、口紅、リップクリーム等の油剤を主体とした粘性が相対的に高い油性化粧料のいずれも、化粧品１Ａの化粧料として用いることができる。
【００２６】
更には、包みボタン１の化粧料担持領域１３ＡＲに担持する化粧料ＣＭはひとつに限る必要はない。異なる種類の化粧料を組合せてもよいし、同じ種類の化粧料で異なる色のものを組合せてもよい。例えばファンデーション、コンシーラーなどの淡色の化粧料と、アイシャドー、頬紅などの濃色の化粧料と組み合せる、また薬用リップクリームなどのスキンケア化粧料と口紅などのメイクアップ化粧料と組み合わせる、など、種類と色彩との両方に基づいて、化粧料を適宜に組合せて、ユーザにより強いインパクトを与えることができる化粧品を設定することができる。
例えば、化粧料担持領域１３ＡＲを第１の化粧料に浸漬して乾燥させ、その後に第２の化粧料を吹き付けることで異なる化粧料を保持する化粧品を簡単に製造することができる。
【００２７】
化粧品１Ａに化粧料として採用可能な粉体は、通常、化粧料に用いられる粉体であれば特に限定はない。すなわち、球状、板状、針状等の形状や煙霧状、微粒子、顔料級等の粒子径、または多孔質、無孔質等の粒子構造等によって特に限定されず、無機粉体類、光輝性粉体類、有機粉体類、色素粉体類、金属粉体類、複合粉体類等を使用することができる。
上記化粧料に発色性のある着色顔料を配合することで、色彩による美しさを演出することができるため好ましい。その１種または２種以上を用いて表面処理を施していてもよい。
【００２８】
化粧料中の粉体の含有量は、特に限定されないが、例えば、油剤を主体とした化粧料では、化粧料中の０．１〜５０％が好ましく、さらに１〜３０％が好ましい。また、粉体を主体とした化粧料では、化粧料中の５０％〜１００％が好ましく、さらに７０〜９０％が好ましい。この範囲であると、化粧料の取れや肌への付着性の面で特に優れた効果を得ることができる。
【００２９】
また、化粧料において粉体が主体となる場合は、タルク、マイカ、セリサイト等を含むことが好ましい。これらの粉体を配合することで、化粧料のパフや刷毛などの塗布具への取れや化粧料層の強度の面で特に優れた効果を得ることができる。
【００３０】
化粧品１Ａに用いられる化粧料は、さらに、油剤、界面活性剤、水性成分、保湿剤、紫外線吸収剤、酸化防止剤、防腐剤、香料、美容成分等の通常化粧料に汎用される成分の配合が可能である。油ゲル化剤、水溶性高分子、トリメチルシロキシケイ酸等の油溶性被膜形成剤、水性成分、パラオキシ安息香酸誘導体、フェノキシエタノール等の防腐剤、ビタミン類、美容成分、香料等の成分を配合することも可能である。
【００３１】
油剤としては、通常、化粧料に用いられる油剤であれば特に限定されない。これらの１種または２種以上を用いることができる。
【００３２】
化粧料中の油剤の含有量は、特に限定されないが、例えば、油剤を主体とした化粧料では、化粧料中の５０〜９９．９％が好ましく、さらに７０〜９９％が好ましい。また、粉体を主体とした化粧料では、化粧料中の０〜５０％が好ましく、さらに１０〜３０％が好ましい。この範囲であると、化粧料の取れや肌への付着性の面で特に優れた効果を得ることができる。
【００３３】
また、油剤を主体とした化粧料では、全油剤中の固形油剤、半固形油剤は、１〜５０％が好ましく、さらに５〜３０％が好ましい。また、全油剤中の液状油剤は、５０〜９９％が好ましく、さらに７０〜９５％が好ましい。この範囲であると、化粧料の取れや肌への付着性の面で特に優れた効果を得ることができる。
【００３４】
界面活性剤としては、化粧料に用いられている界面活性剤であれば何れのものでも使用することができ、非イオン性界面活性剤、アニオン性界面活性剤、カチオン性界面活性剤、両性界面活性剤等が挙げられる。このような界面活性剤を化粧料に配合する配合量は０．００１〜１０％が好ましく、より好ましくは０．０１〜１％である。この範囲であると、外観の発色がよく、この点で特に優れた効果を得ることができる。
【００３５】
水性成分はモイスチャー効果を付与する目的で用いることができ、水及び水に可溶な成分であれば何れでもよく、水の他に、例えば、アルコール類、グリコール類、グリセロール類、ローズ等の植物抽出液が挙げられる。更に、必要に応じて紫外線吸収剤、酸化防止剤、水溶性高分子などを含んでもよい。
【００３６】
上記化粧品は、立体形状となる包みボタン１０を流用し、化粧料を担持するという新規な構成を有するもので、担持体の外形や大きさの変更が比較的容易であるので色々な形に設計することできる。
従来のように球状だけである場合と比較して、意匠性に富むので、ユーザにより強いインパクトを与えて、記憶に残る、訴求性の高い化粧品とすることができる。
そして、上記のように、担持体の形状や大きさの変更が容易であることから、化粧料の担持量を適宜に調整できるので、ユーザが飽きない量を想定して化粧品を設計することがきる。また上記化粧品では、ユーザの使い易い硬度に化粧料を調整することも容易である。
更に、担持体として、包みボタンを利用するので、既存の物品を流用してコストを抑制して効率よく、前述した化粧品１Ａを製造することができる。
【００３７】
そして、図１で示した化粧品１Ａは、表面部側から見ると、お菓子のクッキーの様にも見える。図２は、菓子箱をテーマとして化粧品を設計した場合で、図１で示した化粧品１Ａによってクッキーを再現し、これを複数用いて菓子箱の内部を再現した場合を示している。ここでは、菓子箱ＢＸ内に飾り用の敷材ＳＨの上に、高級なクッキーに見立てた化粧品１Ａが複数配置されている。
このような化粧品は、化粧品を購入するユーザに身近で既知である物をテーマとして設計してあるので、一目でユーザの興味を引くことができる。しかも、前述したように各化粧品１Ａ自体も意匠性に富むので、ユーザの購買意欲を確実に喚起することができる。
【００３８】
図３は、ツリーをテーマとして化粧品を設計した場合で、図１で示した化粧品１Ａにより木になった実を再現した例について示した図である。図３で、円錐柱状に形成した木の幹部２０に、実として複数の化粧品１Ａが配置されている。
図３の化粧品も、図２の化粧品と同様にユーザの購買意欲を喚起することができる。
【００３９】
次に、図４（ａ）は、図１で示した化粧品１Ａを背中合わせで接合して形成した第２の実施形態に係る化粧品１Ｂについて示している図である。このように上記した化粧品１Ａを複数組み合わせて新たな化粧品１Ｂを形成し、この化粧品１Ｂが他の既知の物を再現しているとしてもよい。
化粧品１Ｂは、洋菓子のマカロンを再現するように設計したものである。背中合わせとした部分には、例えばクリームをイメージして、白色の接着剤３０が採用されている。このような接着剤３０は白色で化粧品に使用しても問題のないものを適宜に選択すればよい。
【００４０】
そして、図４（ｂ）は菓子箱をテーマとして化粧品を設計し、マカロンを再現している化粧品１Ｂを菓子箱に箱詰めした様子を示している。図４（ｂ）の場合、異なる色のマカロン（すなわち、異なる化粧料が担持されている）を箱詰めにした菓子箱となっている。
図４の化粧品も、所定のテーマを持った化粧品として設計することでユーザの興味を引き、ユーザの購買意欲を更に喚起することができる。
【００４１】
以上、図に基づいて説明した化粧品１Ａ、１Ｂは包みボタン１０を利用するものであるので、担持体の設計、製造に係るコストを抑制して化粧品を製造できる。
以下で更に説明する化粧品１Ｃは、任意の形状に成型するのが容易で、化粧料担持領域が担持体自身の表面に一体的に形成されているものである。
例えば鋳型を用いてパルプ、化学繊維、合成繊維、おがくずなどの材料をモールド成型することにより、立体形状の担持体を製造することができる。このように製造される担持体は多孔質成型体であり、その外表面は化粧料を担持するのに適した多孔質となっている。よって、任意に定めた領域を、前述した化粧料担持領域として化粧料を担持できる。
なお、化粧料１Ｃについては図示を省略するが、図１で示したクッキー型の化粧品１Ａや図４で示したマカロン型の化粧品１Ｂと同じ形状の担持体を、モールド成型により簡単に製造することができる。そして、その化粧料担持領域に化粧料を担持させれば、前述したと同様の化粧品を製造することができる。すなわち、前述した包みボタンに基づいた形状の化粧品は、多孔質成型体を担持体とする化粧品へ容易に変更できる。
【００４２】
多孔質成型体により形成される担持体を用いるメリットは、鋳型により成型できる形状であれば任意の形に成型した多孔質体が得られることである。よって、例えば食品、日用品など、更に動植物など、既知の物を再現した立体形状の担持体を用いて化粧品を製造できる。
担持体の形状を複数種類について準備することも比較的容易であるので、例えば宝石のダイヤモンド、パール、ルビー、サファイヤをイメージする立体形状を再現して、それぞれに異なる色の化粧料を担持すれば、テーマを宝石箱とした組合せ型の化粧品を提案することもできる。
このような化粧品は、従来にはない斬新な所定のテーマで設計した化粧品となるので、意匠性に富み、ユーザの購買意欲を更に喚起することができる。
前述したテーマは菓子箱、ツリー、宝石箱であったが、これに限らず、美しい景色や公園をテーマとして、花などの植物、更に鳥などの動物を、本発明の化粧品で再現するようにしてもよい。
【００４３】
以上説明したように、本発明に係る化粧品は、立体形状を有する担持体の化粧料担持領域に化粧料を担持するという新規な構成を有するもので、担持体の外形や大きさの変更が比較的容易であるので色々な形に設計することできる。
従来のように球状だけである場合と比較して、ユーザにより強いインパクトを与えて、記憶に残る、訴求性の高い化粧品とすることができる。
そして、担持体の形状や大きさの変更が容易であることから、化粧料の担持量を適宜に調整できるので、ユーザが飽きない量を想定して化粧品を設計することがきる。また本発明の化粧品では、ユーザの使い易い硬度に化粧料を調整することも容易である。
更に、担持体として、包みボタンを利用すれば、既存の物品を流用してコストを抑制して効率よく、本発明の化粧品を製造することができる。
また、担持体として、パルプなどによる多孔質成型体を採用する場合は、所望の形状に形成できるので、斬新な形状に設計としてユーザに訴求する化粧品を提供できる。
更に、所定のテーマで化粧品を設計して、既知の物を再現した化粧品にすると、この点でもユーザの目を引いて、ユーザの購買を喚起することができる。
【００４４】
以上で実施形態の説明を終えるが、本発明は上記実施形態に限定されるものではなく、その要旨を逸脱しない範囲で種々変更して実施することができることは言うまでもない。
【符号の説明】
【００４５】
１Ａ、１Ｂ                化粧品
１０                      包みボタン
１１                      ボタン本体
１１ａ                    凹部
１２                      キャップ部
１３                      シート状多孔質部材
１３ＡＲ                  化粧料担持領域
３０                      接着剤
ＣＭ                      化粧料
【図１】
2019097762.tif 000003
【図２】
2019097762.tif 000004
【図３】
2019097762.tif 000005
【図４】
2019097762.tif 000006